(57)【特許請求の範囲】
【請求項１】
相手側コンタクトを保持した嵌合受入部を有する相手側コネクタに対して嵌合・接続するコネクタにおいて、
嵌合方向に沿って延びるコンタクトと、該コンタクトを保持するハウジングと、前記相手側コネクタの前記嵌合受入部に嵌まるように前記嵌合方向に沿って突出した嵌合部を有し前記ハウジングに対して前記嵌合方向に移動可能に保持されたインシュレータと、前記ハウジングと該インシュレータとの間に配され該インシュレータを前記嵌合方向に移動させる駆動部材とを有し、
前記駆動部材は、前記インシュレータに係合したアクチュエータと、前記ハウジングに対し摺動可能なスライダと、前記スライダのスライドに応じて前記アクチュエータを前記嵌合方向に移動させるカム機構とを含み、
前記コンタクトは、駆動端部と、該駆動端部から頂点を形成するように山形状に湾曲して延設し相手側コンタクトと摺接する接点部とを持ち、
前記嵌合部は、前記コネクタ厚み方向に突出した凸部を有し、
前記凸部は、前記アクチュエータの前記嵌合方向の移動に応じて前記駆動端部を押圧し、前記接点部を前記コネクタ厚み方向に移動させるものであり、
前記嵌合部は、前記嵌合方向に直交するコネクタ厚み方向に前記嵌合受入部に対する所定の許容寸法を備え、
前記相手側コネクタが固定されている状態で前記スライダを操作すると、前記嵌合部は、前記所定の許容寸法だけ前記コネクタ厚み方向に誘導移動されることを特徴とするＺＩＦコネクタ。
【請求項２】
請求項１のＺＩＦコネクタにおいて、
前記インシュレータには、前記コンタクトの駆動端部を収納し前記コネクタ厚み方向にガイドする案内溝が、前記嵌合方向に沿って穿設される結果、
前記相手側コネクタの前記嵌合受入部内に位置決め・ガイドされることを特徴とするＺＩＦコネクタ。
【請求項３】
請求項２のＺＩＦコネクタにおいて、
前記スライダは、コネクタ長手方向に摺動するものであり、前記アクチュエータは前記スライダを収納するカム溝が設けられており、
該アクチュエータのカム溝は、前記コネクタ嵌合方向に傾斜する方向に穿設された中央スロットおよび前記コネクタ長手方向に穿設された一対の左右スロットが互いに連通するように形成される結果、該左右スロットは、前記コネクタ嵌合方向に前記所定距離だけ離間しており、
前記スライダおよび前記アクチュエータが互いに当接するように、前記スライダには外側斜面部が、カム部として形成される一方、前記アクチュエータのカム溝には、内側斜面部がカム従属部として形成されており、
前記ハウジングと前記アクチュエータとの間に前記スライダを前記コネクタ長手方向の第１の方向に操作することにより、前記外側斜面部が前記内側斜面部を前記嵌合方向に押し上げ、前記アクチュエータは、前記コネクタ嵌合方向に前記所定距離だけ駆動されて摺動移動する結果、
前記インシュレータの凸部が、前記コンタクトの駆動端部を押圧し、前記コンタクトの接点部が前記相手側コンタクトに摺接し、
これにより、前記相手側コネクタに対して嵌合・接続の動作が行われることを特徴とするＺＩＦコネクタ。
【請求項４】
請求項３のＺＩＦコネクタにおいて、
前記スライダは、スライダ本体と、該スライダ本体から前記コネクタ厚み方向に突出してカム部として作用する円柱状突起とを備え、
前記ハウジングと前記アクチュエータとの間から前記スライダを前記コネクタ長手方向の第２の方向に操作することにより、
前記カム溝内で前記円柱状突起が前記コネクタ長手方向に摺動し前記アクチュエータが押し下げられる結果、
前記アクチュエータは、カム従属部材として作用し、前記嵌合方向とは逆向きに移動して前記相手側コネクタとの離脱の動作が行われることを特徴とするＺＩＦコネクタ。
【発明の詳細な説明】
【０００１】
【発明の属する技術分野】
この発明は、ＺＩＦコネクタに関する。
【０００２】
【従来の技術】
この種のＺＩＦコネクタの従来例としては、実用新案登録第２５５６９２８号公報、特公平４−７０７６号公報、特開昭６１−２７０７４号公報がある。
【０００３】
相手側コネクタとの嵌合のとき、コンタクトを支持するインシュレータと、相手側コネクタの相手側インシュレータとがコネクタ厚み（幅）やコネクタ長手方向で位置決めされる。
【０００４】
【発明が解決しようとする課題】
しかし、これら従来例のＺＩＦコネクタでは、相手側コネクタが固定されている場合には、相手側コネクタとの嵌合の際、位置ずれがあまり許容できない。そのため、相手側コネクタに追従できず、位置ずれで不完全嵌合する結果、安定した接続特性が得られないという欠点がある。
【０００５】
例えば、遠隔操作により、相手側コネクタに対して上下嵌合方向に強制的に下に移動させる場合でも、途中で係止してしまい、同様に、安定した接続特性が得られない。
【０００６】
そこで、本発明の技術的課題は、相手側コネクタが固定されている場合でも、相手側コネクタとの嵌合の際、相手側コネクタに追従でき、位置ずれなく完全嵌合し安定した接続特性が得られるＺＩＦコネクタを得ることである。
【０００７】
【課題を解決するための手段】
本発明の課題を解決するために、次の手段を採用する。
【０００８】
（１）  相手側コンタクトを保持した嵌合受入部を有する相手側コネクタに対して嵌合・接続するコネクタにおいて、
嵌合方向に沿って延びるコンタクトと、該コンタクトを保持するハウジングと、前記相手側コネクタの前記嵌合受入部に嵌まるように前記嵌合方向に沿って突出した嵌合部を有し前記ハウジングに対して前記嵌合方向に移動可能に保持されたインシュレータと、前記ハウジングと該インシュレータとの間に配され該インシュレータを前記嵌合方向に移動させる駆動部材とを有し、
前記駆動部材は、前記インシュレータに係合したアクチュエータと、前記ハウジングに対し摺動可能なスライダと、前記スライダのスライドに応じて前記アクチュエータを前記嵌合方向に移動させるカム機構とを含み、
前記コンタクトは、駆動端部と、該駆動端部から頂点を形成するように山形状に湾曲して延設し相手側コンタクトと摺接する接点部とを持ち、
前記嵌合部は、前記コネクタ厚み方向に突出した凸部を有し、
前記凸部は、前記アクチュエータの前記嵌合方向の移動に応じて前記駆動端部を押圧し、前記接点部を前記コネクタ厚み方向に移動させるものであり、
前記嵌合部は、前記嵌合方向に直交するコネクタ厚み方向に前記嵌合受入部に対する所定の許容寸法を備え、
前記相手側コネクタが固定されている状態で前記スライダを操作すると、前記嵌合部は、前記所定の許容寸法だけ前記コネクタ厚み方向に誘導移動されることを特徴とするＺＩＦコネクタ。
【０００９】
（２）  （１）のＺＩＦコネクタにおいて、
前記インシュレータには、前記コンタクトの駆動端部を収納し前記コネクタ厚み方向にガイドする案内溝が、前記嵌合方向に沿って穿設される結果、
前記相手側コネクタの前記嵌合受入部内に位置決め・ガイドされることを特徴とするＺＩＦコネクタ。
【００１０】
（３）  （２）のＺＩＦコネクタにおいて、
前記スライダは、コネクタ長手方向に摺動するものであり、前記アクチュエータは前記スライダを収納するカム溝が設けられており、
該アクチュエータのカム溝は、前記コネクタ嵌合方向に傾斜する方向に穿設された中央スロットおよび前記コネクタ長手方向に穿設された一対の左右スロットが互いに連通するように形成される結果、該左右スロットは、前記コネクタ嵌合方向に前記所定距離だけ離間しており、
前記スライダおよび前記アクチュエータが互いに当接するように、前記スライダには外側斜面部が、カム部として形成される一方、前記アクチュエータのカム溝には、内側斜面部がカム従属部として形成されており、
前記ハウジングと前記アクチュエータとの間に前記スライダを前記コネクタ長手方向の第１の方向に操作することにより、前記外側斜面部が前記内側斜面部を前記嵌合方向に押し上げ、前記アクチュエータは、前記コネクタ嵌合方向に前記所定距離だけ駆動されて摺動移動する結果、
前記インシュレータの凸部が、前記コンタクトの駆動端部を押圧し、前記コンタクトの接点部が前記相手側コンタクトに摺接し、
これにより、前記相手側コネクタに対して嵌合・接続の動作が行われることを特徴とするＺＩＦコネクタ。
【００１１】
（４）  （３）のＺＩＦコネクタにおいて、
前記スライダは、スライダ本体と、該スライダ本体から前記コネクタ厚み方向に突出してカム部として作用する円柱状突起とを備え、
前記ハウジングと前記アクチュエータとの間から前記スライダを前記コネクタ長手方向の第２の方向に操作することにより、
前記カム溝内で前記円柱状突起が前記コネクタ長手方向に摺動し前記アクチュエータが押し下げられる結果、
前記アクチュエータは、カム従属部材として作用し、前記嵌合方向とは逆向きに移動して前記相手側コネクタとの離脱の動作が行われることを特徴とするＺＩＦコネクタ。
【００１２】
【作用】
アクチュエータとハウジングとの間に配されたスライダは、コネクタ嵌合方向に直交するコネクタ長手方向に沿って、挿入または引き抜き動作をすると、スライド移動する。
【００１３】
スライダをコネクタ長手方向に挿入動作するとき、スライダの外側斜面部は、カム部として作用する。
【００１４】
インシュレータのカム溝における凸部は、コンタクトの駆動端部を押圧し、コンタクトの接点部が相手側コンタクトに摺接するように案内する。
【００１５】
このように、コネクタ嵌合するように、相手側コネクタに誘われて、コネクタ厚み方向に所定寸法内で摺接案内される一方、コネクタ長手方向に位置決めされ正規の嵌合位置まで移動する。
【００１６】
詳しく述べると、スライダはコネクタ長手方向に摺動移動するとき、アクチュエータの内側斜面部と当接しながらアクチュエータを押し上げるように作用する。
【００１７】
このとき、アクチュエータの内側斜面部は、カム従属部として作用する。アクチュエータは、コネクタ嵌合方向の上方向に所定距離だけ駆動されて摺動移動する。その結果、コネクタは、接続特性も安定して、相手側コネクタと嵌合・接続する。
【００１８】
また、スライダをコネクタ長手方向に引き抜き動作するとき、アクチュエータの案内溝に遊嵌されているスライダの円柱状突起は、カム部として作用する。このとき、スライダはコネクタ長手方向に摺動移動する結果、アクチュエータを押し下げるように作用する。アクチュエータは、カム従属部材として作用し、所定距離だけコネクタ反嵌合方向すなわち離脱方向に駆動されて移動される。その結果、コネクタは、接続特性も安定して、相手側コネクタから離脱する。
【００１９】
【発明の実施の形態】
さて、本発明の実施の形態によるコネクタを図面を用いて説明する。
【００２０】
図１〜図１３を参照して、本発明の実施の形態によるコネクタ９は、相手側コンタクト６０を保持した嵌合受入部７０Ａを持つ相手側レセプタクルハウジング７０を有する相手側コネクタ１１１に対して嵌合・接続するものである。
【００２１】
コネクタ９は、上下方向（嵌合方向）に沿って延びるコンタクト１０と、コンタクト１０を保持するハウジング２０と、相手側レセプタクルハウジング７０の嵌合受入部７０Ａに嵌まるように嵌合方向に沿って突出した嵌合部を有するインシュレータ３０と、ハウジング２０とインシュレータ３０との間に配されインシュレータ３０を嵌合方向およびコネクタ厚み方向に摺動・移動させる駆動部材（図２および図３のアクチュエータ５０およびスライダ４０）とを有するＺＩＦコネクタである。
【００２２】
コンタクト１０は、駆動端部１２と、駆動端部１２から頂点を形成するように山形状に湾曲して延設し相手側コンタクトと摺接する接点部１１とを持つ。
【００２３】
インシュレータ３０は、ハウジング２０に対して相手側コネクタ１１１との嵌合方向に摺動自在に保持され、かつ嵌合部には凸部３１が、駆動端部１２を押圧するカム部として作用するように、嵌合方向と直交するコネクタ厚み方向に突出し、相手側コネクタとの間に所定の許容寸法（ＡやＢ）を与えるように設けられている。
【００２４】
相手側コネクタ１１１およびハウジング２０が固定されている状態で、駆動部材のスライダ４０をハウジング２０とアクチュエータ５０との間に挿入操作するとき、インシュレータ３０の嵌合部は、嵌合受入部７０Ａ内に位置決めされ所定距離Ｈだけ嵌合方向に移動しガイドされる。
【００２５】
図１１には、インシュレータ３０の嵌合部と相手側コネクタ１１１の嵌合受入部７０Ａとの嵌合動作が直接誘導されたことを示している。コネクタ９に対して相手側コネクタ１１１が少し右に位置ずれの状態である。
【００２６】
インシュレータ３０は、相手側レセプタクルハウジング７０に位置決めされるので、ハウジング２０に対して少し右に位置ずれの状態となる。
【００２７】
インシュレータ３０には、コンタクト１０の駆動端部１２を収納しコネクタ厚み方向にガイドする案内溝３３（凸部３１）が、嵌合方向に沿って穿設されている。案内溝３３（凸部３１）が駆動端部１２を押圧することにより、コンタクト１０の接触力は生じる。その結果、案内溝３３（凸部３１）と相手側コンタクト６０との距離は、所定の許容寸法内にある。そのため、図１０のＡ＝Ｂまたは図１１のＡ＜Ｂになるが、コネクタ厚み方向の位置ずれに余裕を持っていて、ほぼＡ＝Ｂ（一定）に保たれるので、接続特性が安定する。
【００２８】
図２および図３に示された駆動部材は、左右方向（コネクタ長手方向）に駆動・摺動するスライダ４０と、スライダ４０を収納するカム溝５２、５２が設けられスライダ４０の摺動移動に応じて上下方向（コネクタ嵌合方向）に駆動されるカム従属部材すなわちアクチュエータ５０とから成る。
【００２９】
アクチュエータ５０のカム溝５２、５２は、コネクタ嵌合方向に略４５度傾斜する方向に穿設された中央スロット５２Ｃおよびコネクタ長手方向に穿設された一対の左右スロット５２Ｌ、５２Ｒが互いに連通するように形成される。その結果、左右スロット５２Ｌ、５２Ｒは、コネクタ嵌合方向に所定距離Ｈだけ離間している。
【００３０】
スライダ４０およびアクチュエータ５０が互いに当接するように、スライダ４０には外側斜面部（カム部すなわちカム斜面）４１−３が形成される一方、アクチュエータ５０のカム溝５２には、内側斜面部（カム従属部すなわちカム従属斜面）５１−３が形成されている。本発明では、図１２から図１３への接続状態で強い力が必要であるため、スライダ４０およびアクチュエータ５０の当接機構は、カム・カム従属構造を採用する。
【００３１】
ハウジング２０とアクチュエータ５０との間にスライダ４０をコネクタ長手方向に挿入動作（第１の方向）することにより、外側斜面部が内側斜面部を嵌合方向に押し上げ、アクチュエータ５０は、コネクタ嵌合方向に所定距離Ｈだけ摺動移動する。その結果、インシュレータのカム溝３３（凸部３１）が、コンタクト１０の駆動端部１２を押圧し、コンタクト１０の接点部１１が相手側コンタクト６０に摺接する。
【００３２】
このようにして、コネクタ９は、相手側コネクタ１１１に対して嵌合・接続の動作が行われる。
【００３３】
また、図９から図１０に示すように、コネクタ嵌合が行われる。しかし、図１１に示すように、コネクタ厚み方向に位置ずれた状態で嵌合する場合（Ａ＜Ｂ）でも、インシュレータ３０は所定の寸法内で移動する。その結果、相手側レセプタクルハウジング７０に位置決めされる。この位置ずれ量Ｃが大きい場合でも、案内溝３１は、コンタクト１０の先端部を相手側コンタクト６０の所定位置に移動させるためピッチエラーが起きない。
【００３４】
更に詳しく述べると、スライダ４０は、スライダ本体と、スライダ本体からコネクタ厚み方向に突出する円柱状突起４２とを備える。尚、カム溝５２、円柱状突起４２は小さい寸法で構成できるため、全体として、駆動部材を小さく構成できる。
【００３５】
図１３から図１２への非接続状態には、比較的弱い力でアクチュエータ５０の移動が可能である。ハウジング２０とアクチュエータ５０との間からスライダ４０をコネクタ長手方向に引き抜き操作（第１の方向と反対の第２の方向）することにより、カム溝５２内で円柱状突起４２がコネクタ長手方向に摺動しアクチュエータ５０が押し下げられる。その結果、アクチュエータ５０は嵌合方向とは逆向きに移動して相手側コネクタ１１１との離脱の動作が行われる。
【００３６】
【発明の効果】
本発明によれば、相手側コネクタが固定されている場合でも、相手側コネクタとの嵌合の際、相手側コネクタに追従でき、位置ずれなく完全嵌合し安定した接続特性が得られるＺＩＦコネクタを得られるという効果を奏する。
【００３７】
また、例えば、遠隔操作により、相手側コネクタに対して上下嵌合方向に強制的に移動させる場合でも、同様に、安定した接続特性が得られるという効果を奏する。
【図面の簡単な説明】
【図１】本発明の実施の形態によるコネクタ９および相手側コネクタ１１１の分解斜視図である。
【図２】図１のコネクタ９のアクチュエータ５０の斜視図である。
【図３】図１のコネクタ９のスライダ４０の斜視図である。
【図４】図１のコネクタ９の正面図である。
【図５】図１のコネクタ９の右側面図である。
【図６】図１のコネクタ９の上面図である。
【図７】図１の相手側コネクタ１１１の正面図である。
【図８】図７の相手側コネクタ１１１の右側面図である。
【図９】図１のコネクタ９および相手側コネクタ１１１とのコネクタ嵌合接続の前の解放状態の断面図である。
【図１０】図９の状態からコネクタ嵌合接続状態でコネクタ厚み方向に位置ずれ無しのときの断面図で、Ａ＝Ｂの状態を示す。
【図１１】図９の状態からコネクタ嵌合接続状態でコネクタ厚み方向に位置ずれ有りのときの断面図で、Ａ＜Ｂの状態を示す。
【図１２】スライダ４０を挿入接続する前の状態を示す断面図で、スライダ４０はその外側斜面部４１−３が、アクチュエータ５０のカム溝５２内で、アクチュエータ５０の内側斜面部５１−３に対して少し離間した状態にある。
【図１３】スライダ４０を右から左方向に挿入接続した後の状態を示す断面図で、スライダ４０はその外側斜面部４１−３が、アクチュエータ５０のカム溝５２内で、アクチュエータ５０の内側斜面部５１−３に当接し、アクチュエータ５０を押し上げたことを示す。
【符号の説明】
Ａ、Ｂ    インシュレータ３０の嵌合部と相手側レセプタクルハウジング７０の嵌合受入部７０Ａとの間の離間距離（コネクタ厚み方向に所定の許容寸法でほぼ一定、Ａ〜Ｂ）
Ｈ    アクチュエータ５０が上下嵌合方向に沿って駆動され摺動移動する所定距離
９    本発明の実施の形態によるコネクタ（ＺＩＦコネクタ）
１０    コンタクト
１１    接点部
１２    駆動端部
２０    ハウジング
２１    ハウジングベース端部
３０    インシュレータ（プラグインシュレータ）
３１    凸部（カム部）
３３    案内溝
４０    スライダ
４１−３  外側斜面部（カム部）
４２    円柱状突起
４３    スライダフック端
５０    アクチュエータ（カム従属部材）
５１−３    内側斜面部（カム従属部）
５２、５２    カム溝
５２Ｃ    中央スロット
５２Ｌ、５２Ｒ    一対の左右スロット
６０    相手側コンタクト
７０    相手側レセプタクルハウジング
７０Ａ  嵌合受入部
８０    ホールドダウン
１１１    相手側コネクタ
【図１】
0003706995.tif 000002
【図２】
0003706995.tif 000003
【図３】
0003706995.tif 000004
【図４】
0003706995.tif 000005
【図５】
0003706995.tif 000006
【図６】
0003706995.tif 000007
【図７】
0003706995.tif 000008
【図８】
0003706995.tif 000009
【図９】
0003706995.tif 000010
【図１０】
0003706995.tif 000011
【図１１】
0003706995.tif 000012
【図１２】
0003706995.tif 000013
【図１３】
0003706995.tif 000014